(57)【要約】マルチキャリアワイヤレスシステムのためのデータレート制御信号の送信方法に関する様々な実施形態を開示する。例示的な一実施形態によれば、ワイヤレス装置（200または500）は、同相（I）チャネルで少なくとも第一のデータレート制御（data rate control: DRC）値と、直角位相（Q）チャネルで少なくとも第二のDRC値を送信するように構成することが可能である。第一のDRC値は、第一の順方向リンクキャリアに関連付けることが可能であり、第二のDRC値は、第二の順方向リンクキャリアに関連付けることが可能である。このように、例えば、DRC値は、IおよびQの両チャネルを通じて送信することが可能である。【選択図】図２
2009502076.tif 000002
【特許請求の範囲】
【請求項１】
・  複数のキャリアの各々についてデータレート制御（data rate control: DRC）値を決定すること（410）と、
・  前記複数のDRC値を拡散すること（420）と、
・  同相（I）チャネルで前記複数の拡散したDRC値のうちの少なくとも１つを送信し、直角位相（Q）チャネルで前記複数の拡散したDRC値のうちの少なくとも１つを送信すること（430）と、
を含む方法。
【請求項２】
前記決定することは、
・  前記複数のキャリアの各々についてチャネル品質パラメータを測定すること（412）と、
・  前記測定に基づいて、前記複数のキャリアの各々についてデータレートを識別するデータレート制御（DRC）値を決定すること（414）と、
を含む請求項1に記載の方法。
【請求項３】
前記測定することは、
・  各キャリアに関連付けられたパイロット信号を受信することと、
・  各パイロット信号の信号対雑音比または他のチャネル品質パラメータを測定することと、
を含む請求項2に記載の方法。
【請求項４】
前記拡散することは、ワイヤレスセクタに対応するウォルシュコードを使用して、前記複数のDRC値を拡散することを含む、請求項1に記載の方法。
【請求項５】
前記拡散することは、
・  ワイヤレスセクタを決定することであって、該ワイヤレスセクタは、該ワイヤレスセクタから順方向リンクチャネル（forward link channel）でデータを受信するためのワイヤレスセクタである、決定することと、
・  前記決定されたワイヤレスセクタに対応するウォルシュコードを使用して、前記複数のDRC値を拡散することと、
を含む請求項1に記載の方法。
【請求項６】
前記拡散することは、
・  前記複数のキャリアの各々のウォルシュコードを決定することと、
・  前記キャリアに対応するウォルシュコードを使用して各DRC値を拡散することと、
を含む請求項1に記載の方法。
【請求項７】
前記拡散することは、前記複数のキャリアの各々について、それぞれ異なるウォルシュコードを使用して各DRC値を拡散することを含む、請求項6に記載の方法。
【請求項８】
前記拡散することは、
・  ワイヤレスセクタに対応するDRCカバーコードを使用して、前記複数のDRC値を拡散すること（422）と、
・  前記DRC値の前記キャリアに対応するコードを使用して、拡散したDRC値をさらに拡散すること（424）と、
を含む請求項1に記載の方法。
【請求項９】
・  前記決定することは、第一のキャリアの第一のデータレート制御（data rate control: DRC）値と、第二のキャリアの第二のDRC値と、第三のキャリアの第三のDRC値とを決定することを含み、
・  前記拡散することは、前記第一、第二、および第三のDRC値を拡散することを含み、
・  前記送信することは、
・  同相（I）チャネルで前記第一の拡散したDRC値を送信することと、
・  直角位相（Q）チャネルで前記第二および第三の拡散したDRC値を送信することとを含む、
請求項1に記載の方法。
【請求項１０】
前記決定することは、第一のキャリアの第一のデータレート制御（data rate control: DRC）値と、第二のキャリアの第二のDRC値と、第三のキャリアの第三のDRC値と、第四のキャリアの第四のDRC値とを決定することを含み、
・  前記拡散することは、前記第一、第二、第三、および第四のDRC値を拡散することを含み、
・  前記送信することは、
・  同相（I）チャネルで前記第一の拡散したDRC値を送信することと、
・  直角位相（Q）チャネルで前記第二、第三、および第四の拡散したDRC値を送信することとを含む、
請求項1に記載の方法。
【請求項１１】
前記送信することは、同相チャネルで前記複数の拡散したDRC値の第一のものを送信することと、直角位相（Q）チャネルで前記複数の拡散したDRC値の第二のものを送信することとを含む、請求項1に記載の方法。
【請求項１２】
・  複数の順方向リンクキャリアの各々についてデータレート制御（data rate control: DRC）値を決定し、
・  逆方向リンクチャネルにおいて、少なくとも第一の前記DRC値を同相（I）チャネルで、少なくとも第二の前記DRC値を直交位相（Q）チャネルで、送信するように構成されたワイヤレス装置（200または500）。
【請求項１３】
前記ワイヤレス装置は、CDMA2000 EV-DO リビジョンB／3GPP2 C.S0024-Bに、少なくとも部分的には準拠する、請求項12に記載のワイヤレス装置。
【請求項１４】
前記装置は、データ転送に使用される複数の送信リンクキャリアの数が、前記順方向リンクキャリアのDRC値の送信に使用される複数の逆方向リンクキャリアの数よりも多い、非対称のマルチキャリアモードで動作している、請求項12に記載のワイヤレス装置。
【請求項１５】
前記DRC値を符合化するように構成された双直交符号器（bi-orthogonal encoder）（210）と、
・  ワイヤレスセクタに対応するDRCカバーコード（DRC cover code）を使用して、前記符号化したDRC値を拡散するように構成された第一の乗算器（214）と、
・  前記DRC値のキャリアに対応するウォルシュコードを使用して、各DRC値をさらに拡散するように構成された第二の乗算器（218）と、をさらに備える請求項12に記載のワイヤレス装置。
【請求項１６】
同相（I）チャネルで少なくとも第一のデータレート制御（data rate control: DRC）値を送信し、直角位相（Q）チャネルで少なくとも第二のDRC値を送信するように構成されたワイヤレス装置（200または500）であって、前記第一のDRC値は、第一の順方向リンクキャリアに関連付けられ、前記第二のDRC値は、第二の順方向リンクキャリアに関連付けられるワイヤレス装置。
【請求項１７】
前記ワイヤレス装置は、CDMA2000 EV-DO リビジョンB／3GPP2 C.S0024-Bに準拠する、請求項16に記載のワイヤレス装置。
【請求項１８】
前記DRC値を符合化するように構成された双直交符号器（210）と、
・  ワイヤレスセクタに対応するDRCカバーコードを使用して、前記符号化したDRC値を拡散するように構成された第一の乗算器（214）と、
・  前記第一のキャリアに対応するウォルシュコードを使用して、前記第一のDRC値をさらに拡散し、前記第二のキャリアに対応するウォルシュコードを使用して、前記第二のDRC値をさらに拡散するように構成された第二の乗算器（218）と、をさらに備える請求項16に記載のワイヤレス装置。
【発明の詳細な説明】
【関連出願の相互参照】
【０００１】
本出願は、米国暫定特許出願第60／700,095号（2005年7月18日出願）（参照することにより本願明細書に組み込まれる）、および米国特許出願第11／478,555号、名称"Techniques to Transmit Date Rate Control Signals For Multi-Carrier Wireless Systems"（2006年6月28日出願）（同様に、参照することにより本願明細書に組み込まれる）に対する優先権を主張するものである。
【背景】
【０００２】
データレート制御または速度整合は、異なる形態の複数の異なるワイヤレス技術またはネットワークに見られる機能であり、いくつかの測定に基づいて、および／または制御信号に基づいて送信されるデータレートの変更または更新をしばしば伴う。例えば、cdma2000高速パケットデータ（High Rate Packet Data: HRPD）システムは、ワイヤレス技術の一種であり、一般的に1xDO（"データ最適化"）システムと称される。IxDOシステムとは、アクセス端末（Access Terminal: AT）またはモバイル端末が、順方向リンク（AN-to-ATリンク）または逆方向リンク（AT-to-ANリンク）のいずれかで、1.25 MHzの帯域幅を通じて、アクセスネットワーク（Access Network: AN）または基地局と通信することが可能な、シングルキャリアシステムである。
【０００３】
1xDOシステムの逆方向リンクには、例えば、ANとの通信を起動するようにATが使用することができるアクセスチャネルモード（パイロットチャネルおよびデータチャネルを含む）がある。1xDOシステムの逆方向リンクは、ANにトラフィックまたはシグナリング情報を送信するようにATが使用することができるトラフィックチャネルモードも含む。トラフィックチャネルモードは、１つまたは２つのパイロットチャネルと、３つの媒体アクセス制御（medium access control: MAC）と、肯定応答（acknowledgement: Ack）チャネルと、データチャネルとを含む。MACチャネルは、逆方向レートインジケータチャネルと、データレート制御（data rate control: DRC）チャネルと、データソース制御（data source control: DSC）チャネルとを含む。IxDOシステムの順方向リンクには、パイロットチャネルと、MACチャネルと、Ackチャネルと、制御チャネルと、トラフィックチャネルがある。MACチャネルは、逆方向アクティビティ（reverse activity: RA）チャネルと、DRCLockチャネルと、逆方向出力制御チャネルとを含む。
【０００４】
1xDOシステムでは、ATは、複数のパイロット信号に対するパイロットバースト中に、信号対干渉雑音比（signal-to-interference and noise ratio: SINR）を測定する。ATは、次いで、最も強力なパイロットの測定SINRを使用して、確実に復号化することができる最高データレートを決定する。ATは、次いで、（逆方向リンク上の）DRCチャネルを使用して、順方向リンク（AN-to-ATリンク）上の所望のデータレートおよび選択されたセルセクタをANに通知する。
【０００５】
マルチキャリア変調は、データが単一のキャリアに変調されるのではなく、複数のキャリアまたはサブキャリアに変調される変調技術である。直交周波数分割多重（Orthogonal Frequency Division Multiplexing: OFDM）は、サブキャリアが互いに直交するマルチキャリア変調の一例である。マルチキャリア符号分割多重アクセス（Multi-carrier Code Division Multiple Access: MC-CDMA）は、複数のキャリアと直交プロパティを有することが可能な拡散コードの両方を使用する、マルチキャリアの別の例である。各周波数帯域では、送信技術またはフォーマットは、シングルキャリアシステムにおいて使用されているものに類似するか、または同一の送信技術である。
【０００６】
近年、cdma2000の進化型としてマルチキャリア1xEV-DO（例、NxDO）が提案されている。例えば、3xDOの変形では、ATおよびANは、３つのキャリアを提供し、キャリアあたり1.25 MHzの周波数帯域を有する、5 MHzの無線チャネルを通じて通信する。NxDOシステムは、ATが複数の1.25 MHz帯域（各帯域は、1xDOシステムに使用されるものに類似した送信技術およびフォーマットを用いることが可能である）を通じて通信することができる、マルチキャリアシステムである。当該のマルチキャリアシステムにおいて、各キャリアに単独で生じる場合のある周波数選択フェーディングおよび他の歪によって、各キャリアごとにデータレート制御情報をATとANとの間で通信できるようにすることに有用となりうる。
【０００７】
トランスミッタのQ（quadrature: 直交）ブランチにわたる、複数のキャリアのDRC値またはDRC信号を時分割多重化（time division multiplex: TDM）するという提案がなされている。Qualcomm社、"cdma2000 evolution technology summary"、cdma2000 evolution workshopにおけるプレゼンテーション、C00AIE-20050310-027R1、2005年3月10日。この提案では、DRC値（DRC Value）のTDMレポートは、8スロットの長DRCスパンおよび2スロットのDRC長（DRCLength）を使用し、４つのDRC値が、13.3 msごとに逆方向リンクのキャリア上にレポートされる。当該の提案の欠点には、長DRCスパンが、順方向リンクチャネルに敏感なスケジュールゲインを減じる場合があることである。DRC長の初期設定は、ソフトハンドオフ（SHO）領域に対して４つのスロットであり、DRCゲインは、例えば2スロットのDRC長のような、より短いDRC長に対応するように高めることが必要な場合がある。加えて、Qブランチ上にレポートされている全てのDRC値によって、一般的に、モバイルトランスミッタのピーク対平均（P／A）比を増加させることになる。
【摘要】
【０００８】
種々の実施形態を、マルチキャリア無線システムのためのデータレート制御信号を送信する手法に関して開示する。
【０００９】
例示的な一実施形態によれば、複数のキャリアの各々についてデータレート制御（data rate control: DRC）値を決定することと、前記複数のDRC値を拡散することと、Iチャネル（同相：in-phase）で前記複数の拡散したDRC値のうちの少なくとも１つと、Qチャネル（直角位相：quadrature-phase）で前記複数の拡散したDRC値のうちの少なくとも１つを送信することとを含む方法が提供される。
【００１０】
別の例示的な実施形態によれば、ワイヤレス装置が提供される。前記ワイヤレス装置は、複数の順方向リンクキャリアの各々についてDRC値を決定し、逆方向リンクチャネルにおいて、少なくとも第一の前記DRC値を同相（I）チャネルで、少なくとも第二の前記DRC値を直交位相（Q）チャネルで送信するように、構成されることができる。
【００１１】
別の例示的な実施形態によれば、ワイヤレス装置が提供される。前記ワイヤレス装置は、同相チャネルで少なくとも第一のデータレート制御（data rate control: DRC）値を送信し、直角位相チャネルで少なくとも第二のDRC値を送信するように構成することが可能である。前記第一のDRC値は、第一の順方向リンクキャリアに関連付けることが可能であり、前記第二のDRC値は、第二の順方向リンクキャリアに関連付けることが可能である。
【図面の簡単な説明】
【００１２】
【図１】例示的な一実施形態によるDRCチャネルを示すブロック図である。
【００１３】
【図２】別の例示的な実施形態によるDRCチャネルを示すブロック図である。
【００１４】
【図３】例示的な一実施形態によるモバイルトランスミッタのIおよびQブランチへのDRC信号の割り当てを示すブロック図である。
【００１５】
【図４】例示的な一実施形態によるワイヤレス無線装置の動作を示すフローチャートである。
【００１６】
【図５】例示的な一実施形態によるワイヤレス装置またはワイヤレスノードに提供することが可能な装置を示すブロック図である。
【詳細な説明】
【００１７】
例示的な一実施形態によれば、マルチキャリアのDRC信号は、ATトランスミッタのI（同相：in-phase）ブランチおよびQ（直角位相：quadrature-phase）ブランチを経て送信することが可能である。例えば、C1、C2、およびC3の３つの順方向リンクキャリアが存在する場合、ATは、キャリアC1およびC2のDRC信号を割り当て、Qブランチ上の第一および第二の直交（例、ウォルシュ）コードを経て区別することが可能であり、キャリアC3のDRC信号を、例えば第三の直交（例、ウォルシュ）コードを経てIブランチに割り当てることが可能である。（本願明細書のDRC信号という用語は、場合によって、キャリアの順方向リンク上に送信される１つ以上のDRC値のことである。例えば、各順方向リンクのキャリアにDRC信号が存在する場合がある。但し、場合によって、DRC信号およびDRC値という用語が代替的に使用される場合がある。）
【００１８】
加えて、ATの順方向リンクに対してIブランチおよびQブランチ上に（すでに）送信された他のチャネルを考慮することによって、負荷平衡および電力平衡を実質的に提供することが可能な様態で、DRC信号をIブランチおよびQブランチに割り当てることが可能である。このように、全てのDRC信号をQブランチ上のみ、またはIブランチ上のみに送信した場合に比較して、マルチキャリアシステムの場合、ATトランスミッタのピーク対平均（P／A）比を減じることが可能である。
【００１９】
例示的な一実施形態によれば、各セクタ（または基地局）は、各キャリアごとにパイロット信号（またはパイロットチャネル）を送信することが可能である。例えば、3キャリアシステムでは、（ANの）各セクタまたは基地局は、キャリアC1、C2、およびC3の各々のパイロット信号を送信することが可能である。
【００２０】
また、（ATの逆方向リンクの）DRCチャネルは、各キャリアのDRC信号（またはシンボル）、および各キャリアおよびDRC LengthのDRCカバー（またはウォルシュカバー）を含めることが可能である。一実施形態では、DRCおよびDRCカバー値は、DRC Lengthの期間以上ごとに更新することが可能である。ATは、複数のセクタまたは基地局からの複数のキャリアの各々のチャネル品質を監視することが可能である。これは、例えば、キャリア対干渉（carrier-to-interference: C／I）比、または複数のセクタ／基地局のそれぞれからの各キャリアのパイロットに対する他のチャネル品質関連のパラメータを監視するATによって実行することが可能である。
【００２１】
測定されたチャネル品質に基づき（例えば、複数のセクタからの受信パイロットのC／I比に基づき）、ATはセクタのうち１つを選択してもよい。例えば、本開示はこれに限定されるわけではないが、選択されたセクタまたは基地局は、そこから順方向リンクトラフィックをキャリア（または１つ上のキャリア）の最高のレートで確実に受信できる、最善または最高の品質のセクタまたは基地局であってもよい。ある例示的な実施例では、選択されたセクタまたは基地局は、キャリアの１つ以上（またはすべて）に対する最高品質のパイロット信号を有するセクタ（例えば、他のセクタと比較して、そのキャリアのうち１つ以上において最高のC／I比を有するセクタ）であってもよい。
【００２２】
また、ATのアクティブなセットのセクタ内の各セクタに対して、ATは、セクタに対応するDRCカバー（別称ウォルシュカバー）を受信することが可能である。例示的な一実施形態では、DRCカバーは、長さが8の8つの可能なウォルシュコードのうちの１つにマッピングする3ビットの数字とすることが可能である。DRCカバー（別称ウォルシュカバー）には、当然、他のサイズを使用することが可能である。
【００２３】
加えて、チャネル品質に基づいて、ATは、キャリアのそれぞれに対してリクエストされたデータレートを選択することが可能である。各キャリアは、例えばキャリアのパイロット信号上の測定されたC／I比率に基づいて、異なる測定チャネル品質を有する場合がある。その結果、ATは、チャネル品質が各キャリアごとに異なる場合があるので、各キャリアのANに対して、異なる順方向リンクのデータレートを選択または指定することが可能である。
【００２４】
ATは、選択されたデータレート（またはパケットフォーマット）を、各キャリアのDRC信号にマップすることが可能である。したがって、データレートを、キャリアごとの基準に基づいて、DRC値にマップすることが可能である。各DRC値（またはDRCシンボル）は、例えば4ビットのDRC値とすることが可能であり、例えば、順方向リンク内の対応するキャリアを通じてデータをATに送信するように、ANが使用可能な（または使用することをリクエストされた）16の可能なデータレート（またはパケットフォーマット）のうちの１つを識別する。したがって、各キャリアのDRC値は、一般的に、各キャリアの（選択されたセクタの）チャネル品質を反映する。
【００２５】
ATがセクタを選択して、さらに（DRC値にマップされた）各キャリアの順方向リンクのデータレート（またはパケットフォーマット）を識別した場合、選択されたセクタのDRCカバーを使用して、各キャリアのDRC値を拡散する。DRCカバーは互いに直交するので、ANは、ATによって選択されたセクタを特定することができる。次に、各キャリアの拡散されたDRC値は、逆方向リンク内の他のチャネルからDRCチャネルを区別して、DRC値のキャリアを識別するために、異なるウォルシュ拡散コードによって拡散される。例示的な一実施形態によれば、結果として生じる拡散されたDRC値のそれぞれは、次いで、トランスミッタのIブランチまたはQブランチを通じて送信することが可能である。別の例示的な実施形態では、少なくとも１つのDRC値は、IおよびQブランチのそれぞれを通じて送信される。なお、本開示はこれに限定されるものではない。
【００２６】
図1は、例示的な一実施形態によるDRCチャネルを示すブロック図である。この例示的な実施形態では、２つのDRC信号を逆方向のリンクキャリア上に送信すべきである（各DRC信号は、順方向リンクのキャリアに対応するDRC値を提供する）場合、一方のDRC信号は、例えばW328（32の可能なウォルシュコードのうちのウォルシュコード8）によって拡散することが可能であり、他方のDRC信号は、例えばW3224によって拡散することが可能であり、２つのDRC信号は、１つのスロットを通じて送信することが可能である。他のウォルシュコードを使用することが可能であり、これは一例に過ぎない。より少ない数の逆方向リンクキャリアを通じた、（複数の順方向リンクキャリアの）複数のDRC値の送信は、非対称のマルチキャリアモードと称する場合がある。それは、例えば、DRC値／順方向リンクキャリアの数が、DRC値の送信に使用される逆方向リンクキャリアの数よりも多く、したがって、複数のDRC値を、１つ以上の逆方向リンクキャリアを通じて送信することが可能であるため、非対称とみなすことが可能である。本実施例では、図1に示される例示的な実施形態において、これら２つのDRC値の両方をQブランチ上に送信することが可能である。このような場合、1xDOと比較してDRC長を2倍にして、非SHOに対するDRC長を4スロットにし、SHOに対するDRC長を8スロットにする（SHOとは、ソフトハンドオフ領域のことである）などして、IおよびQの出力を実質的に平衡させることが必要になる場合がある。
【００２７】
図1を参照する。DRC値またはシンボル（例、スロットあたり１つの4ビットのDRC値）は、双直交符号器110に入力される。符号器110は、DRC値に双直交符合化を実行し、次いで、信号ポイントマッピングブロック112は、符合化されたDRC値を+1／-1の信号レベルにマップする。DRCカバー値（例、スロットあたり3ビットの値またはシンボル）は、ブロック114で、ウォルシュカバーまたはウォルシュコードにマップされ、順方向リンクの送信セクタを識別する。符合化されたDRC値は、選択されたセクタに対応するDRCカバー値（またはウォルシュカバー）によって、乗算器116で拡散される。DRCカバーによる拡散によって、ANは、ATによって選択されたセクタを識別することができる。
【００２８】
乗算器116から出力された拡散されたDRC値は、次いで、キャリア毎に各々異なるウォルシュコードによって、乗算器118で拡散される。例えば、キャリアC1のDRC値はW328によって拡散されることが可能であり、キャリアC2のDRC値はW3224によって拡散されることが可能である。異なるキャリアのDRC値のDRC値の異なるウォルシュコード（キャリアごとの異なるウォルシュコード）による乗算器118での拡散は、1）逆方向リンク（ACKチャネルなどの）上の他のチャネルからDRCチャネルを区別するように、および2）各DRC値に対応するキャリアを識別するように提供することが可能である（すなわち、乗算器118で使用された異なるウォルシュコードは、一般的に、異なるキャリアにマップすることが可能である）。
【００２９】
図2は、別の例示的な実施形態によるDRCチャネルを示すブロック図である。図2を用いて、（順方向リンク上の３つまたは４つのキャリアに対応する）３つまたは４つのDRC値が、逆方向リンク（例、２つのスロット）を通じて送信することが可能である、DRCチャネルを示すことが可能である。例えば、３つのDRC値を逆方向リンクのキャリア上に送信すべきである場合（各DRC値は、順方向リンク上に送信される異なるキャリアに対応する）、（例えば、キャリアC1に対応する）１つのDRC値をIブランチを通じて送信することが可能であり、（例えば、キャリアC2およびC3に対応する）２つのDRC値をQブランチ上に送信することが可能であり、非SHOに対するCRCLengthは2である。（例示的な一実施形態によれば、SHOのDRC長は、一般的に、非SHOのDRC長の2倍であるが、簡潔にするために以下の説明では省略することに留意されたい。） （例えば、キャリアC1、C2、およびC3に対応する）３つのDRC値の送信に使用されるウォルシュコードは、例えば、W648、W6440、W6424とすることが可能である。
【００３０】
４つのDRC信号を逆方向リンク上に送信すべきである場合（４つのDRC信号は、順方向リンク上に送信される４つの異なるキャリアに対応する）、（例えば、キャリアC1に対応する）１つのDRC値をトランスミッタのIブランチ上に送信することが可能であり、（例えば、順方向リンク上のキャリアC2、C3、およびC4に対応する）３つのDRC値をトランスミッタのQブランチ上に送信することが可能であり、非SHOに対するDRC長は4であり、４つ全てのDRC値は、２つのスロットを通じて送信される。この４つのDRC値の拡散に使用するウォルシュコードは、例えば、一例に過ぎないが、W648、W6440、W6424、W6456とすることが可能である。
【００３１】
図2を参照する。DRC値またはシンボル（例、スロットあたり１つの4ビットのDRC値）は、双直交符号器210に入力される。符号器210は、DRC値に双直交符合化を実行し、次いで、信号ポイントマッピングブロック212は、符合化されたDRC値を+1／-1の信号レベルにマップする。DRCカバー値（例、スロットあたり3ビットの値またはシンボル）は、ブロック216で、ウォルシュカバーまたはウォルシュコードにマップされ、順方向リンクの送信セクタを識別する。符合化されたDRC値は、選択されたセクタに対応するウォルシュカバー（ウォルシュコード）によって、乗算器214で拡散される。DRCカバーによる拡散によって、ANは、ATによって選択されたセクタを識別することができる。乗算器214から出力された拡散されたDRC値は、次いで、各キャリアの異なるウォルシュコード（例、キャリアC1のDRC値に対してW648、キャリアC2に対してW6440 、キャリアC3に対してW6424、およびキャリアC4に対してW6456）を使用して、乗算器218で拡散される。これは一例に過ぎず、本開示はこれに限定されるものではない。拡散されたDRC値のそれぞれは、次いで、上述のように、IおよびQブランチを経て送信することが可能である。
【００３２】
図2のDRCチャネルを参照する。（３つのキャリア、非SHOに対する）DRC長を２つのスロットとし、また（４つのキャリア、非SHOに対する）DRC長を４つのスロットとして、各DRC信号の異なる直交コードを経て、２つのスロットだけを通じて（３つまたは４つの順方向リンクキャリアの）３つまたは４つのDRC値を送信することによって、少なくとも場合によって、DRC値は、時分割多重を経て複数のDRC信号を送信するという他の提案と比較して、（より短いDRC長により）より頻繁に更新することが可能である。なお、本開示はこれに限定されるものではない。また、例示的な一実施形態によれば、少なくとも場合によって、IおよびQブランチの両方を使用してDRC信号を送信する場合、IおよびQブランチ上に送信される出力は、DRC信号がブランチのうちの１つだけに送信される場合よりも平衡させることが可能である。なお、本開示はこれに限定されるものではない。
【００３３】
例示的な一実施形態によれば、一般的に、（例えば、キャリアごとに１つのDRC信号で）逆方向リンクのキャリア上に送信されるN個のDRC信号に対して、Iブランチ上に送信されるDRC信号の数はL個となり、Qブランチ上に送信されるDRC信号の数はM個となりうる。ここで、Nは、L+Mであり、IおよびQブランチの送信出力を、実質的に均衡させることが可能となる（また、逆方向リンク上に送信される他のチャネルを考慮することが可能となる）ような方法で割り当てることが可能である。したがって、Nは、順方向リンクのキャリアの総数と称されることが可能である（また、順方向リンクキャリアあたり１つのDRC信号であるので、DRC信号の総数でもある）。表1は、15までのN（DRC信号または順方向リンクキャリアの総数）の例示的な一実施形態をまとめたものである。
【表１】
2009502076.tif 000003
【００３４】
図3は、例示的な一実施形態によるモバイルトランスミッタのIおよびQブランチへのDRC信号の割り当てを示すブロック図である。図3に示される例示的な実施形態によれば、補助パイロットチャネルと、RRIチャネルと、Ackチャネルと、DSCチャネルと、データチャネルと、DRCチャネルの一部（L個の符号分割多重化したDRC信号を含む）とを追加して、合成的なIチャネルを形成することが可能である。データチャネルと、DRCチャネルの別の部分（M個の符号分割多重化したDRC信号を含む）を追加して、合成的なQチャネルを形成することが可能である。これによって、N個（総数）のDRC信号のうちのいくつかをIブランチに割り当て、いくつかのDRC信号をQブランチに割り当てることができる。上述のように、N個（L+M）のDRC信号のそれぞれを、異なる直交拡散コードまたはウォルシュコードを使用して拡散することができる。合成的なIおよびQチャネルは、次いで、（PN長コード、PN短コード、およびウォルシュコードに基づいて）直交分割し、フィルタ処理し、逆方向リンクの適切なキャリア上に変調され、次いでs（t）として送信することが可能である。
【００３５】
例示的な一実施形態によれば、マルチキャリアシステム内のモバイル端末またはアクセス端末（access terminal: AT）は、１つ以上のセクタ（または基地局）からの複数のパイロット信号（例、キャリアあたり１つのパイロット信号）を監視することが可能である。各キャリアのパイロット信号の測定されたチャネル品質に基づいて、ATは、最良または好適なセクタを選択することが可能であり、また、データレート（例、リクエストされたデータレート）を選択することが可能である。各キャリアの選択されたデータレートは、次いで、DRC値にマップして、DRCカバーによって拡散することが可能である。DRCカバーは、ANが、順方向リンク送信のためにATによって選択されたセクタを識別するように、直交コードまたはウォルシュコードとすることが可能である。拡散されたDRC値は、次いで、各キャリアに対して異なる直交ウォルシュコードによって拡散することが可能である。例えば、キャリアC1のDRC値を第一のウォルシュコードによって拡散し、キャリアC2のDRC値を第二のウォルシュコードによって拡散し、キャリアC3のDRC値を第三のウォルシュコードによって拡散する、などが可能である。各キャリアに対応する異なる直交ウォルシュコードによるDRC値（または異なるキャリア）の拡散は、1）逆方向リンク（ACKチャネルなどの）上の他のチャネルからDRCチャネルを区別すること、および2）各DRC値に対応するキャリアを識別すること（すなわち、拡散に使用された異なるウォルシュコードは、一般的に、異なるキャリアにマップすることが可能である）が可能である。
【００３６】
拡散されたDRC値は、次いで、Iブランチを経て送信されるいくつかの（例、１つ以上の）DRC値で、およびQブランチを経て送信されるいくつかの（例、１つ以上の）DRC値で送信することか可能である。なお、本開示はこれに限定されるものではない。例示的な一実施形態によれば、少なくとも場合によっては、IおよびQブランチを通じたDRC値の送信は、IブランチのみまたはQブランチのみを通じたDRC値の送信と比較して、負荷平衡を向上させる、および／またはピーク対平均（Peak-to-Average: P／A）電力比を減じることが可能である。別の例示的な実施形態では、複数のキャリアのそれぞれに対応するDRC値は、異なる直交コード（例、ウォルシュコード）によって拡散することが可能であり、またQブランチのような、IまたはQブランチのうちの１つだけを通じて送信することが可能である。
【００３７】
図4は、例示的な一実施形態によるワイヤレス無線装置の動作を示すフローチャートである。410で、データレート制御（data rate control: DRC）値が、複数のキャリアのそれぞれに対して決定される。各DRC値は、例えば、キャリアのデータレートを識別することが可能である。オペレーション410は、例えば、オペレーション412および414を含むことが可能である。412で、チャネル品質パラメータを、複数のキャリアのそれぞれに対して測定することが可能である。これは、例えば、各キャリアに関連付けられたパイロット信号を受信して、各パイロットの信号対雑音比または他のチャネル品質パラメータを測定することによって実行することが可能である。414で、DRC値は、測定（例えば、パイロット信号または順方向リンクのキャリアに基づいて、DRC値に対応するデータレートを選択する）に基づいて複数のキャリアのそれぞれに対して識別される。
【００３８】
420で、複数のDRC値が拡散される。この拡散は、DRCカバーを使用した拡散を伴うことが可能であり、これは、基地局またはワイヤレスセクタに関連付けることが可能である（例えば、DRCカバーを使用して、選択されたセクタを識別することが可能である）。422で、複数のDRC値は、ワイヤレスセクタに対応するDRCカバーコードを使用して拡散される。オペレーション422は、例えば、ワイヤレスセクタを決定するステップと、決定されたワイヤレスセクタに対応するウォルシュコードを使用して複数のDRC値を拡散するステップとを含めることが可能である。決定されるワイヤレスセクタは、それから順方向リンクチャネルでデータを受信するためのワイヤレスセクタである。
【００３９】
420での拡散は、例えばオペレーション424における、DRC値のキャリアに対応する（またはこれを識別する）ウォルシュコードを使用して、各DRC値を拡散するステップを同様に（または代わりに）含むことが可能である。オペレーション424は、キャリアの各々のウォルシュコードを決定して、キャリアに対応するウォルシュコードを使用した各DRC値の拡散を伴うことが可能である。各キャリアは、（ウォルシュコードに基づいてキャリアを識別できるように）異なるウォルシュコードを有することが可能である。別様には、例示的な実施形態によれば、場合によって、同じウォルシュコードを、異なる２つのキャリアのDRC値が異なるI／Qチャネルを通じて送信される（例えば、一方のキャリアのDRC値が同相チャネルを通じて送信され、他方のキャリアが直角位相チャネルを通じて送信される）、２つの異なるキャリアに使用することが可能である。
【００４０】
430で、複数の拡散されたDRCのうちの少なくとも１つが同相（I）チャネルで送信され、複数の拡散されたDRCのうちの少なくとも１つが直角位相（Q）チャネルで送信される。したがって、例えば、第一のキャリアの第一のDRC値をIチャネルを通じて送信することが可能であり、第二および第三のキャリアの第二および第三のDRC値のそれぞれを例えばQチャネルを通じて送信することが可能である。４つのキャリアの場合、第一のキャリアの第一のDRC値をIチャネルを通じて送信することが可能であり、他の３つのキャリアを例えばQチャネルを通じて送信することが可能である。これらは、いくつかの例に過ぎず、本開示はこれに限定されるものではない。
【００４１】
図5は、例示的な一実施形態によるワイヤレス装置またはワイヤレスノードに提供することが可能な装置500を示すブロック図である。例示したワイヤレスノードには、例えば、信号を送受信するためのワイヤレストランシーバ502と、ノードまたは装置の動作を制御し、命令またはソフトウェアを実行するためのコントローラ504と、データおよび／または命令を格納するためのメモリ506とを含めることが可能である。コントローラ504は、プログラム可能であり、メモリ内または他のコンピュータ媒体上に格納されたソフトウェアまたは他の命令を実行して、例えば図1乃至4を参照して上述した種々のタスクおよび機能を実行できるものとすることが可能である。
【００４２】
例えば、ワイヤレス装置500は、（例えば、コントローラ504によって）複数の順方向リンクキャリアの各々についてデータレート制御（data rate control: DRC）値を決定し、（例えば、図1乃至3に示されるトランシーバおよび／または他のブロックを経て）同相（I）チャネルを経た少なくとも第一のDRC値と、直角位相（Q）チャネルを経た少なくとも第二のDRC値とを、逆方向リンクキャリアを経て送信するようプログラムまたは構成することが可能である。例示的な一実施形態によれば、ワイヤレス装置500は、DMA2000 EV-DO リビジョンB／3GPP2 C.S0024-Bに準拠または少なくとも部分的にするもの、および／または他の規格または技術に準拠するものとすることが可能である。ワイヤレス装置500は、例えば、データ転送に使用される複数の送信リンクキャリアが、順方向リンクキャリアのDRC値の送信に使用される複数の逆方向リンクキャリアよりも大きい、非対称のマルチキャリアモードで動作することが可能である。これは、例示的な一実施形態によれば、Iチャネルを通じた１つ以上のキャリアのDRC値の送信、およびQチャネルを通じた１つ以上のキャリアのDRC値の送信を伴うことが可能である。
【００４３】
ワイヤレス装置500は、例えば、DRC値を符号化するための双直交符号器（例、210）と、ワイヤレスセクタに対応するDRCカバーコードを使用して、符合化されたDRC値を拡散する第一の乗算器（例、214）と、DRC値のキャリアに対応するウォルシュコードを使用して、各DRC値をさらに拡散するための第二の乗算器（例、218）を含めることができる。これはいくつかの例示的な実施形態を示したに過ぎず、本開示および実施形態はこれに限定されるものではない。
【００４４】
別の例示的な実施形態によれば、ワイヤレス装置500は、同相（I）チャネルで少なくとも第一のデータレート制御（data rate control: DRC）値を送信し、直角位相（Q）チャネルで少なくとも第二のDRC値を送信するようにプログラムまたは構成することが可能である。一実施形態によれば、第一のDRC値は、第一の順方向リンクキャリアに関連付けらることが可能であり、第二のDRC値は、第二の順方向リンクキャリアに関連付けることが可能である。本開示の実施形態は、例えば、3GPP2 C.S0024-Bとして発行されたCDMA2000 EV-DO リビジョンBに見出すことが可能である。
【００４５】
本開示の実施形態は、様々なデバイスおよび用途に使用することが可能であるものと理解されたい。本開示はこの点に限定されるものではないが、本願明細書に開示された手法、方法、回路、またはシステムは、例えば、無線システムのトランスミッタおよびレシーバなどのような多数の異なる装置で使用することが可能である。本開示の範囲内に含めることを意図した無線システムには、例えば、ワイヤレスネットワークインターフェース装置、ワイヤレスネットワークインターフェースカード（network interface card: NIC）、基地局、アクセスポイント（AP）、ゲートウェイ、ブリッジ、ハブ、セルラー無線電話通信システム、セルラーデバイス、アクセス端末、アクセスネットワークデバイス、アクセスポイント、他の固定またはモバイルトランシーバ、ポータブルコンピュータ、携帯電話、衛星通信システム、双方向無線通信システム、ページャ、パーソナル通信システム（PCS）、パーソナルコンピュータ（PC）、携帯情報端末（personal digital assistants: PDA）、移動局、および他のワイヤレスデバイスまたは無線システムを含む、ワイヤレスローカルエリアネットワーク（WLAN）デバイスおよびワイヤレスワイドエリアネットワーク（WWAN）のようなワイヤレスネットワークデバイスおよびシステムが挙げられる。なお、本開示の範囲はこの点に限定されるものではない。
【００４６】
加えて、本開示の種々の実施形態は、多種多様な技術（通信プロトコルおよび規格）に提供することが可能である。本願明細書に記述された例は、単に例示目的としてのものであり、本開示はこれに限定されるものではない。
【００４７】
加えて、様々な実施形態を、ハードウェアまたは専用回路、ソフトウェア、ロジック、またはこれらのあらゆる組み合わせに実装することが可能である。例えば、いくつかの側面ではハードウェアに実装することが可能であり、他の側面では、コントローラ、マイクロプロセッサ、または他のコンピューティングデバイスによって実行することが可能なファームウェアまたはソフトウェアに実装することが可能である。なお、本開示はこれに限定されるものではない。本開示の種々の側面は、ブロック図、フローチャートとして、または他の図的記述を使用して例示および説明することが可能であるが、本願明細書に記載されたこれらのブロック、装置、システム、手法、または方法は、ハードウェア、ソフトウェア、ファームウェア、専用回路またはロジック、汎用ハードウェアまたはコントローラ、または他のコンピューティングデバイスなどにおいて、あるいはそれらの組み合わせに実装することが可能であるものと十分理解されたい。
【００４８】
本開示の実施形態は、集積回路モジュールのような種々の構成要素において実行することが可能である。集積回路の設計は、全体的に非常に自動化されたプロセスである。論理レベルの設計を、半導体基板上にエッチングおよび形成される状態にある半導体回路設計に変換するために、複雑かつ高性能なソフトウェアツールを利用することが可能である。
【００４９】
Synopsys社（Mountain View、California）およびCadence Design社（San Jose、California）が提供しているようなプログラムは、定評のあるルールおよびデザイン、ならびに予め格納されたデザインモジュールの巨大なライブラリを使用して、自動的に半導体のルート決めを行って、構成要素を半導体チップ上に配置する。半導体回路の設計が完了すると、得られたデザインを、標準化された電子フォーマット（例、Opus、GDSIIなど）で、生産のために半導体製造施設（すなわち"fab"）に伝送することが可能である。
【００５０】
本願明細書に開示したように、記載した実施形態の特定の機能を例示したが、当業者は、多数の改良、置換、変更、および同等物を想起しうるであろう。したがって、添付の特許請求の範囲は、本開示または開示された実施形態の真の趣旨の範囲に含まれるような、全ての改良および変更をカバーすることを意図するものであると理解されたい。
【図１】
2009502076.tif 000004
【図２】
2009502076.tif 000005
【図３】
2009502076.tif 000006
【図４】
2009502076.tif 000007
【図５】
2009502076.tif 000008
【国際調査報告】
2009502076.tif 000009
2009502076.tif 000010
2009502076.tif 000011